(57)【要約】【課題】カップを備えたカップ台の両側から背後へ延びるバックバンドを有し、バックバンドと上記カップに縫い合わせたダブルアップサポートが連結されるストラップを有すブラジャーであって、必要に応じてストラップをタスキ掛けすることが可能なブラジャーの提供。【解決手段】バックバンド６，６とストラップ４，４は丸カン１１，１１を介して連結し、前面側のストラップ先端にはＺカン１０，１０を取着し、該Ｚカン１０，１０には補助ストラップ１４，１４を連結し、補助ストラップ１４，１４の一方端にはストラップ４，４のＺカン１０，１０が係合する係合穴１５，１５を有し、他方端にはダブルアップサポート上端に形成した係合穴１５，１５に係合する。【選択図】        図５
2005009042.tif 000002
【特許請求の範囲】
【請求項１】
カップを備えたカップ台の両側から背後へ延びるバックバンドを有し、バックバンドと上記カップ又は該カップに縫い合わせたダブルアップサポートが連結されるストラップを有すブラジャーにおいて、バックバンドとストラップは丸カンを介して連結し、前面側のストラップ先端にはＺカンを取着し、該Ｚカンには補助ストラップを連結し、補助ストラップの一方端にはストラップのＺカンが係合する係合穴を有し、他方端にはカップ上縁又はダブルアップサポート上端に形成した係合穴に係合するＺカンを備えていることを特徴とするブラジャー。
【請求項２】
カップを備えたカップ台の両側から背後へ延びるバックバンドを有し、バックバンドと上記カップ又は該カップに縫い合わせたダブルアップサポートを連結するブラジャーのストラップにおいて、ストラップの一方側にはバックバンドの丸カンに連結する長さ調整部分を設け、他方側にはＺカンを取着すると共に該Ｚカンには補助ストラップを連結し、補助ストラップは一方端に係合穴を形成し、他方端には上記カップ上縁又はダブルアップサポート上端に形成した係合穴に係合するＺカンを取着していることを特徴とするブラジャーのストラップ。
【発明の詳細な説明】
【０００１】
【発明の属する技術分野】
本発明は女性用下着であって、バストの垂れを防止すると共に自然な丸みを保つ為に、背筋を伸ばして猫背を防止することが出来るブラジャーに関するものである。
【０００２】
【従来の技術】
ブラジャーはバストを拘束することによって、身体を動かしても揺れないようにするのみならず、バストの形を整えたり、バストの小さな人であればより大きく魅せることが出来る機能を備えている。従来、バストを大きく魅せる為にパットを用いており、ブラジャーのカップ内側に設けた袋状のパット受けに該パットを収容している。必要に応じて１枚ないし３枚程度重ね合わせて用いるのが常である。
【０００３】
従って、バストの小さな人であっても上記パットを重ねて用いることで大きく魅せることは可能である。しかし、このような方法はあくまでもバストを外観的に大きく魅せるだけであり、バスト自体の大きさ及び形が整えられる訳ではない。最近では、高いヒールの靴を履く女性が多く、その為に歩く際には前のめりになって猫背を助長する。その結果、バストの形は崩れてしまう。
【０００４】
又、一方、従来のパットはブラジャーのパット受けに挿入することで、自然な丸みを得ることができないまでもバストを大きく魅せることは可能であるが、バストの垂れを防止する効果はなく、少なくともバストの形を整えたり、形を保つ機能を目的としていない。
【０００５】
【発明が解決しようとする課題】
このように従来のブラジャーには上記のごとき問題がある。本発明が解決しようとする課題はこの問題点であり、ストラップを必要に応じてタスキ掛けすることが出来るように、その長さを調整可能としたブラジャーを提供する。又、タスキ掛けしてブラジャーを着用しても、該ブラジャーのバックバンドが捩れることのないブラジャー及びストラップを提供する。
【０００６】
【課題を解決する為の手段】
本発明のブラジャーは、そのカップ並びにカップ台は従来通りであり、ストラップにその特徴を備えている。バストはあくまでも女性の体の一部であり、バストの形を保ち、その形を整える為には姿勢を正しく保つことが重要である。そこで、本発明はブラジャーを着用することで猫背を防止して姿勢を正すことが出来るようにし、両ストラップをタスキ掛け出来る形態としている。
【０００７】
すなわち、本発明のブラジャーのストラップを普通に肩掛けすることが出来、又タスキ掛けすることも可能なように構成されている。ただし、同じ長さのストラップでタスキ掛けすることは不可能である為に、補助ストラップが使用される。すなわち、ストラップの先端に補助ストラップを繋いで全体長さを拡張することが出来る。
【０００８】
勿論、一本の長いストラップを用いてタスキ掛けすることも可能であり、その長さを伸ばすことで対応することは出来るが、短くした場合にはストラップの二重部分が長くなってしまい、該二重部分は硬く成って肌に食い込んで着用し難い。そこで、本発明では補助ストラップを連結する構造としているが、タスキ掛けすることでストラップの張設方向が変化してカップ台に捩れを発生しない繋ぎ金具を使用している。
【０００９】
すなわち、背後のバックバンドとの連結金具は丸カンが使用され、前面側のカップとの連結金具にはＺカンが用いられている。カップの上部縁には係合穴を設け、ストラップ及び補助ストラップの先端に止着しているＺカンは係合穴に係合して連結される。ここで、補助ストラップの一方端にはＺカンが止着され、反対端には係合穴を有してストラップと連結する。
【００１０】
従って、補助ストラップを繋ぐ場合には、該補助ストラップのＺカンをカップ上部縁に設けている係合穴に係合し、ストラップ先端のＺカンは補助ストラップの係合穴に係合して連結してタスキ掛けすることが出来る長さとなる。以下、本発明に係る実施例を図面に基づいて詳細に説明する。
【００１１】
【実施例】
図１はブラジャーを展開した状態を表わしている。同図において、１，１はカップ、２はカップ台、３，３はダブルアップサポート、４，４はストラップを示している。上記カップ１，１は概略半球状を成し、そのＡ〜Ｂにかけての下側縁５をカップ台２に縫着している。カップ１，１は左右対称を成してカップ台２に縫着され、しかしカップ１，１の大きさや形状は限定せず、カップ台２はその両側へ伸縮性のあるバックバンド６，６を延ばし、バックバンド先端にはフックが備わっている。
【００１２】
又、カップ１，１の下側から側部にかけてダブルアップサポート３，３が縫着され、ダブルアップサポート３，３の上端にはストラップ４，４が連結し、該ストラップ４，４の他端はバックバンド６，６の中程の位置に連結されている。そこで、ストラップ４，４を肩に掛けると共にバックバンド６，６を背中に回してフック止めすることで着用することが出来る。上記カップ１の下側から側部に掛けて概略三日月形をした上記ダブルアップサポート３を重ね合わせていることで、バストの垂れを防止し、バストを内側へ寄せることが可能となる。
【００１３】
ここで、ダブルアップサポート３はカップ１のＢ〜Ｃにかけての外周下側縁５に縫い付けられ、内縁７は該カップ１に縫い付けられていない。そしてダブルアップサポート３の上端８はストラップ４と連結し、該ストラップ４はカップ１を吊設すると共に、ダブルアップサポート３を吊り下げることが出来る。従って、ダブルアップサポート３の部分だけカップ１は２重構造を呈し、又、カップ１のＡ〜Ｂにかけての外周下側縁５には金属製ワイヤーを縫着することで、カップ全体がダブルアップサポート３にて支持されることに成る。
【００１４】
ところで、本発明に係るストラップ４は図２に示すように、長さ調整金具９を有し、先端にはＺカン１０が連結している。そして、該ストラップ４の一方端はバックバンド６の中程に設けている丸カン１１に連結し、その長さを適度に調整して、他端に連結しているＺカン１０は上記ダブルアップサポート３の上端８と連結することが出来る。上端８には係合穴が形成され、該係合穴にＺカン１０の係合部１２が嵌入して連結する。
【００１５】
図３はストラップ４とバックバンド６の連結構造を表わしている。バックバンド６にはリング形状の丸カン１１が縫い付けられ、この丸カン１１にストラップ４が連結している。丸カン１１はストラップ４の二重部分１３の先端に嵌って連結される。丸カン１１に連結したストラップ４はバックバンド６に対しての向きをかえても、該バックバンド６を捩ることはなく、その為にブラジャーを着用する場合に両ストラップ４，４をタスキ掛けすることも自由に出来る。
【００１６】
そして、他端に取着しているＺカン１０はダブルアップサポートの上端に形成している係合穴に係合して連結される。ここで、ストラップ４の一方端をバックバンド６に縫着して連結する場合、ストラップの向きを変えるならばバックバンドは捩れてします。一方、ストラップ４，４をタスキ掛けする場合には、その長さが不足し、本発明では補助ストラップを使用してストラップ４，４の長さを伸ばすことが出来る。
【００１７】
図４はストラップ４，４をタスキ掛けしてブラジャーを着用した場合を示している。タスキ掛けとは同図に示すように、バックバンド６の右側連結されたストラップ４は前面では左側のダブルアップサポート３と繋がり、逆にバックバンド６の左側に連結したストラップ４は、前面にて右側のダブルアップサポート３の上端に繋がっている。そして、このようなタスキ掛け形態とすることで、不足する長さ分を前面側において補助ストラップ１４を連結することで補っている。
【００１８】
図５は補助ストラップ１４の具体例であり、一方端には係合穴１５を形成し、他方端にはＺカン１０を止着している。そこで、上記バックバンド６に取着した丸カン１１に連結するストラップ４の先端には補助ストラップ１４が連結され得る。すなわち、ストラップ４の先端に取着しているＺカン１０は補助ストラップ１４の係合穴１５に係合して連結し、連結された補助ストラップ先端のＺカン１０はダブルアップサポート３の上端に形成した係合穴１５に係合して連結する。そして、該補助ストラップ１４にも長さ調整金具９が備わっている。
【００１９】
以上述べたように、本発明はブラジャーのストラップをタスキ掛けに変更して着用することが出来るように、補助ストラップを連結可能としたもので、次のような効果を得ることが出来る。
【００２０】
【発明の効果】
本発明のブラジャーはストラップを必要に応じてタスキ掛けして着用することが出来る。タスキ掛けすることで、背筋が伸びて姿勢がよくなり、ひいてはバストの形を美しく保つことが出来、少なくともバストの垂れを防止する上で効果がある。そして、タスキ掛けする場合、ストラップの長さが不足するが、補助ストラップを連結することで対応することが出来る。
【００２１】
すなわち、長いストラップを用いることなく、必要に応じて補助ストラップを使用する為にタスキ掛けをしない場合でストラップの長さを必要としない時には、二重部分と成る長さ調整部が肌に食い込むことはなく、ブラジャーは着用し易くなる。そして、バックバンドには丸カンを介してストラップが連結される為に、タスキ掛けする際に該ストラップの向きが変化しても、バックバンドに捩れを生じることはなく、前面側ではカップ上縁又はダブルアップサポート上端の係合穴にＺカンを係合して連結することが出来る。
【図面の簡単な説明】
【図１】カップにダブルアップサポートを縫着したブラジャーの具体例。
【図２】ストラップの具体例。
【図３】バックバンドの丸カンに連結したストラップ。
【図４】ストラップをタスキ掛けしてブラジャーを着用した場合。
【図５】補助ストラップの具体例。
【符号の説明】
１  カップ
２  カップ台
３  ダブルアップサポート
４  ストラップ
５  下側縁
６  バックバンド
７  内縁
８  上端
９  長さ調整金具
１０  Ｚカン
１１  丸カン
１２  係合部
１３  二重部分
１４  補助ストラップ
１５  係合穴
【図１】
2005009042.tif 000003
【図２】
2005009042.tif 000004
【図３】
2005009042.tif 000005
【図４】
2005009042.tif 000006
【図５】
2005009042.tif 000007